Podtech/llm-jp-corpus-v4-ja_patent huggingface dataset:
(57)【要約】      （修正有）【課題】てこの原理を応用した、原動装置を提供する。【解決手段】内円歯型１１内を回転する回転子円板７上の回転安定用空転歯車９、回転子円板７の中心より偏心した軸を備えた出力回転板２を備え、出力回転板２の知友新から直線に伸びるピストン雄型３と係合する雌型ピストンに回転子磁石６の中心部下部の突起軸５を介して回転子磁石６が出力回転板２上を移動できるように構成し、回磁石８と回転子磁石６との間の回転力を回転子円板７と出力回転板２の中心軸の違いより生じるてこの原理により回転力をえる。【選択図】図１
2012007601.tif 000002
【特許請求の範囲】
第１図、第２図に例示する如く、（１１）の固定された内円歯型並びに其の内側を回転出来る（７）の回転子円板上の回転安定用空転歯車（９）、（７）の回転子円板の中心点より偏心部の位置に中心軸を有する出力回転板（２）を備へ、（２）の出力回転板の中心部から、遠心部に直線に伸びるハゼ型ピストン雄型（３）上に設けた（４）のピストン雌型に、（６）の回転子磁石中心部下部の突起軸（５）を介して、（６）の回転子磁石が（２）の出力回転円板上を移動出来る如くすると共に、（８）の界磁石と（６）の回転子磁石との間に生じた回転力を、（７）の回転子円板と（２）の出力回転円板の中心軸の違ひによつて生ずるてこの原理を応用し、回転力を得る如くした原動装置。
【発明の詳細な説明】
【技術分野】
【０００１】本発明は永久磁石同士、又は重力を利用した原動装置に関するものである。
【背景技術】
【０００２】従来の動力はすべて燃料等が必要であつた。
【発明の開示】
【発明が解決しようとする課題】
【０００３】てこの原理を応用して燃料等を使用せず、起動力を発生させる如くした事を目的として居る。
【課題を解決するための手段】
【０００４】上記の目的を達成する為に、永久磁石同士や重力等に回転力をあたへた時は回転力と反回転力は等しいが、作用回転板と出力回転板の中心軸を（中心点）偏心する事によつてのてこの原理を応用し、起動力を得る如くした事を特徴としたものである。
【発明の効果】
【０００５】永久磁石同士の場合、第１図参照、（７）の回転子円板の直径が假りに１０ｃｍ、回転力１又回転１の場合で（７）の回転子円板の中心点と、出力回転円板（２）の中心軸との偏心差が３．３ｃｍの場合、（９）の空転歯車と（３）、（４）のハゼ型ピストンの回転抵抗を０とすれば、（７）の回転子円板の回転出力はてこの原理で（８）の界磁石と（６）の回転子磁石との回転出力の２／３得られる事になる。
【発明を実施するための最良の形態】
【０００６】先ず第３図参照、（８）の界磁石と（６）の回転子磁石が図の如く配置されて居れば、引かれる方向は矢印の如く互に正反対の方向に同じ力で引かれるので、（７）の回転子円板は回転しない、そこでもし（７）の回転子円板の中心軸が今の位置より下方にあれば、（７）の回転子円板の（６）の回転子磁石の方が中心軸から比べれば長くなるので、てこの原理で回転力が強くなり、右方向に回転する筈である。
本発明は上記の原理を元にして、第１図参照、（７）の回転子円板の中心軸が無いので、（７）の回転子円板の回転を安定させる為に（９）の空転歯車と、（１１）の固定内円歯型を付け、（７）の回転子円板がスムーズに回転出来る様にする、そして（２）の出力回転円板上に、中心部から外円部に直線に伸びるハゼ型ピストン雄型（３）を設け、回転子円板（７）に固定された回転子磁石（６）の中心部の下部に付けた突起軸（５）より、（４）のピストン雌型を介して（６）の回転子磁石の回転力を（２）の出力回転円板の（３）のピストン雄型に伝へると共に、（３）、（４）のハゼ型ピストンの作用により、（２）の出力回転円板が回転する際（６）の回転子磁石が（２）の出力回転円板上を移動出来る如くする、仮りに（７）の回転子円板の直径が６ｃｍとし、（２）の出力回転円板の中心軸が（７）の回転子円板の中心点より１ｃｍ下とすると、（７）の回転子円板上部の（６）の回転子磁石と（２）の出力回転板の中心軸の距離は４ｃｍで、下部の（６）の回転磁石と（２）の出力回転板の中心軸の距離が２ｃｍとなり、上部（６）の回転磁石の方が下部の回転磁石（６）より倍の長さになり、てこの原理でその回転力は（８）の回磁石と（６）の回転磁石の作用力の３分の２生ずる事になる、そこで上部の（６）の回転子磁石に回転力が生じ、回転子円板は右方向に回転する事になる。
（２）の出力回転円板上下の（６）の回転子磁石の速度の違ひによる回転力のずれは、（６）の回転磁石を連置する事によつて解決出来る筈である。
そこで装置する永久磁石を強力とし、此の装置を何個か使用すればかなり効果が得られるものと予想される。
尚重力を利用する場合は、第１図の（８）の界磁石をなくし、（６）の回転子磁石の代りにおもりとし、第１図の図面の位置を横にするだけで、構造作用は全く同じである。永久磁石が大型で重量が大きい時は重力の作用と併用の方法もある。
【図面の簡単な説明】
【０００７】
【図１】  本発明の正面図
【図２】  本発明の側面図
【図３】  本発明の説明の説明図
【図４】  本発明のハゼ型ピストンの拡大図
【符号の説明】
【０００８】１    出力回転円板の軸
２    出力回転円板
３    ハゼ型ピストン雄板
４    ハゼ型ピストン雌板
５    回転子磁石の中心部下部の突起軸
６    回転子磁石
７    回転子円板
８    回磁石
９    回転子円板の回転安定用空転歯車
１０  空転歯車の固定して居る中心軸
１１  ９の空転歯車が噛合さる固定内円歯型
【図１】
2012007601.tif 000003
【図２】
2012007601.tif 000004
【図３】
2012007601.tif 000005
【図４】
2012007601.tif 000006
(57)【要約】【課題】本発明は、発電をする為の技術的な考え方を提供するものです。【解決手段】水を重量として受ける為の水車とバケットとその回転力を後返りしないようにウォームギヤーで一旦受けて、４〜５段階に倍速をかけて、その回転力で発電機を廻します。実験もしましたが、実験は小規模なもので、大きな電力が必要であれば、規模はいくらでも大きく出来ますし、水が山より流れ始めて海に到るまで、何回でも利用出来ます。ウォームギヤーの数の比率も、倍速の比率もＶプーリーとＶベルトで廻すか、スプロケットとチェーンで廻すか等の工夫もこれからまだ改善する事もあります。山より水が流れ出し、堰のある所又は滝のような所であれば、例えば、水が落ちる高さが１０ｍであれば、直径１０ｍの水車にバケットを可能な限り取り付けて、莫大な重量力を受けることが出来、倍速機にかければ、すごい回転力が得られ、高電力を生むことが出来る。生態系への配慮については、別途に考えます。【選択図】図２
2012007619.tif 000002
【特許請求の範囲】
【請求項１】
テコの応用で、回転半径の大きい水車とバケットで水の重量を全部生かす
【請求項２】
水車の回転スピードはあまり速くはないが、莫大な力で回転するこの力を一旦ウォームギヤーで受ける。これは、力が後返りしないようにする。
そして、４段階〜５段階の倍速機で倍速し、発電機につなぐ。
倍速機は、スプロケットとチェーンか、あるいは、ＶプーリーＶベルトでもよい。併用も可。
実験では、倍速機で倍速し高速回転を得られ、発電機につなぎ発電も出来ました。
大規模もよし、小規模もよし、いかなる規模でも発電できる。
水量に合わせて出来る。倍速機の対比は、１段１０：１相当。
【発明の詳細な説明】
【技術分野】
【０００１】本発明は、水を重量として利用し発電をするものである。
【背景技術】
【０００２】従来は、ダムを造り水を溜めて、膨大な水量と落差力によってタービンを廻している。
【発明の概要】
【発明が解決しようとする課題】
【０００３】水が重力（引力）によって落ちてくる場所は、大中小取り混ぜ、あらゆる場所で発電することが出来る。小規模な設備で発電出来るので、大きなダム等を造る必要が無い。
勿論大きな設備をすれば、大発電が出来る。
【発明の効果】
【０００４】水が落差している場所では、高さによって下に落ち切るまで、何段階にも利用出来、莫大なエネルギーを生むことが出来、海抜０になるまで何回でも利用できる。
【図面の簡単な説明】
【０００５】
【図１】本発明の正面図である。
【図２】本発明の使用状態を示す断面図である。
【発明を実施する為の形態】
【０００６】以下、本発明の実施の形態について説明する。
（イ）堰又は滝より落下する水を水車とバケットで受ける。
（ロ）動力が始まれば、倍速機につないで発電する。
【符号の説明】
【０００７】１  水車
２  バケット
３  クラッチ
４  ウォームギヤー
５  倍速機
６  発電機
７  Ｖプーリー及びＶベルト、又は、スプロケット及びチェーン  対比率１０対１相当
【図１】
2012007619.tif 000003
【図２】
2012007619.tif 000004
(57)【要約】      （修正有）【課題】本発明は、発電をする為の技術的な考え方を提供するものです。【解決手段】水の流力を受ける為の水車１とその回転力をウォームギヤー３で一旦受けて、４〜５段階に倍速をかけて、その回転力で発電機６を廻します。水が山より流れ始めて流れの強い所であれば、海に到るまで何回でも利用出来ます。ウォームギヤー３の数の比率も、倍速の比率もＶプーリーとＶベルト５で廻すか、スプロケットとチェーンで廻すか等の工夫もこれからまた改善する事もあります。山より水が流れ出し、流れの強い所では何十ｍ何百ｍでも繰り返し流力を受けることが出来る。水車を何段にでもチェーンでつないで、莫大な流力を受けることが出来、倍速機にかければ、すごい回転力が得られ、高電力を生むことが出来ます。小川でもよし、大河であれば尚すごいでしょう。山より海に到るまで利用出来ます。生態系への配慮については、別途に考えます。【選択図】図２
2012007615.tif 000002
【特許請求の範囲】
【請求項１】
水車で水の流力を全部生かす
【請求項２】
水車を流れの限り、何段階にも受けて、スプロケットとチェーンでつないで回転力をつなぐ流れの限りつなぐ。
【請求項３】
水車の回転スピードはあまり速くはないが、莫大な力で回転するこの力を一旦ウォームギヤーで受ける。これは、力が後返りしないようにする４段階〜５段階の倍速機で倍速する。倍速機は、スプロケットとチェーンか、あるいは、ＶプーリーＶベルトでもよい。併用も可。
実験では、高速回転を得られ、発電機につなぎ発電も出来ました。
大規模もよし、小規模もよし、いかなる規模でも発電できる。
流れに合わせ、水量に合わせて出来る。
【請求項４】
水車の水受け、又、抜け方の効率を良くしてある。
【発明の詳細な説明】
【技術分野】
【０００１】本発明は、水の流れる力を利用し発電をするものである。
【背景技術】
【０００２】従来は、ダムを造り水を溜めて、膨大な水量と落差力によってタービンを廻している。
【発明の概要】
【発明が解決しようとする課題】
【０００３】川等の水が、高きより低きへ流れている場所を利用し、大中小取り混ぜ、あらゆる場所で発電することが出来る小規模な設備で、大きなダム等を造る必要が無い。
大河を利用する時は、大きな設備が必要ですが、大発電が出来る。
【発明の効果】
【０００４】水が流れている所では、小は田んぼの疎水から、大は大河まで高地より海に至るまで、何回でも利用でき、莫大なエネルギーを生むことが出来る。
【図面の簡単な説明】
【０００５】
【図１】本発明の斜視図である。
【図２】本発明の使用状態を示す断面図である。
【発明を実施する為の形態】
【０００６】以下、本発明の実施の形態について説明する。
（イ）水車の中心まで水の流れに沈める。
（ロ）動力が始まれば、倍速機につないで発電する。
【符号の説明】
【０００７】１  水車
２  クラッチ
３  ウォームギヤー
４  倍速機
５  ＶプーリーとＶベルト又はスプロケットとチェーン比率１０対１相当
６  発電機
【図１】
2012007615.tif 000003
【図２】
2012007615.tif 000004
(57)【要約】  【課題】  筋かい固定板の内面側に筋かいを配しても不都合のない、プレス成形に係る、半箱形状の筋かい固定金具を提供する。  【解決手段】  筋かい固定板１の一側縁と、該一側口に隣接する他の一側縁をそれぞれ互いに同じ方向に屈曲して、一側縁側に柱固定板２を、他の一側縁側に横材固定板３を連設すると共に、各固定板１、２、３が交わる隅角部に筋かい５端部５´の隅角部５ａが係合する窓孔４を設ける。【選択図】    図１
2012007327.tif 000002
【特許請求の範囲】
【請求項１】
筋かい固定板の一側縁と該一側縁に隣接する他の一側縁をそれぞれ互いに同じ方向に屈曲して一側縁側に柱固定板を、他の一側縁側に横材固定板を連設すると共に、各固定板が交わる隅角部に筋かい端部が係合する窓孔を設けた、筋かい固定金具。
【発明の詳細な説明】
【技術分野】
【０００１】
本発明は、木造建物の軸組を構成する柱と土台など横架材とが成す隅角部に、筋かいを固定するために用いる筋かい固定金具に関し、製作コストが安価なプレス（絞り）工程によって得る筋かい固定金具に適用するに好適にしたものである。
【背景技術】
【０００２】
木造建物の軸組を構成する柱と土台などが成す隅角部に筋かい固定金具を配して筋かいを装置するようにしているが、前記筋かい固定金具は、方形状の筋かい固定板の一側縁と該一側縁に隣接する他の一側縁を、それぞれ互いに同じ方向に屈曲して一側縁に柱固定板を、他の一側縁に横材固定板を連設して構成したものがある（例えば、特許文献１）。
【０００３】
これらは、いずれも、柱固定板を柱に、横材固定板を土台や横架材（梁や桁）にそれぞれに設けた固定杆の挿通孔を利用して固定し、筋かい固定板には、同様に設けた挿通孔を利用して筋かい（端部）をその外面又は内面（特許文献１）に重ね合わせて固定するようにしている。
【０００４】
そして、特許文献１のように筋かい固定板の内面側に筋かい（端部）を配するようにすると、少なくも筋かいの見込み幅の一部が筋かい固定金具としての見込み幅内に納まるので、該筋かい固定金具を取付ける（固定する）柱や横材の筋かい用の取付け空間（見込み寸法）は、特許文献１で示す筋かい固定板の外面側に筋かいを配するようにしたものと較べ狭くて済み、それだけ、柱や横材の見込み幅を狭くすることができる。
【先行技術文献】
【特許文献】
【０００５】
【特許文献１】特開平８−１２０７７７号公報
【特許文献２】実開昭６３−１１７８０５号公報
【発明の概要】
【発明が解決しようとする課題】
【０００６】
ところが、筋かい固定金具を、プレス（絞り）成形したものは、筋かい固定板と柱固定板および筋かい固定板が互いに交わる部分には、曲面部分が生じ、殊に各固定板が交わる隅角部分は曲面状となって、筋かい角形端縁となじまず、筋かい固定金具と筋かいとの接合状態が安定しないため、プレス（絞り）成形による筋かい固定金具は、筋かい固定板の外面側に筋かいを配するようにして、内面側に配することによる利点を活用できなかった。
【０００７】
本発明は、筋かい固定板の内面側に筋かいを配しても不都合のない、プレス成形に係る筋かい固定金具を得ることを目的として創案したものである。
【０００８】
なお、ここでプレス成形に係る、とは、筋かい固定板、柱固定板および横材固定板の三部材で成る筋かい固定金具の半箱形状を熔接や切断を用いないで一つのプレス工程で成形することをいう。
【課題を解決するための手段】
【０００９】
筋かい固定板の一側縁と該一側縁に隣接する他の一側縁をそれぞれ互いに同じ方向に屈曲して一側縁側に柱固定板を、他の一側縁側に横材固定板を連設すると共に、各固定板が交わる隅角部に筋かい端部が係合する窓孔を設けた構成とするのである。
【発明の効果】
【００１０】
本発明によれば、各固定板が交わる隅角部に窓孔を設け、これに筋かい端部を係合させて筋かいを接続する構成を採るものであるから、筋かいの、固定金具に対する納まりが良く、筋かい固定板の内面側に筋かいを配しても支障のない、筋かいの設置状態が安定した装置を提供できる。また、筋かいの端部を金具外部から窓孔を通して視認することができ、筋かいの固定板に対する取付けの誤作業を防ぐことができる。
【図面の簡単な説明】
【００１１】
【図１】使用状態を示す正面図。
【図２】図１の平面図。
【図３】本発明要部の斜視図。
【図４】図３ｘ−ｘ線断面図。
【図５】筋かい固定金具の正面図。
【図６】図５の平面図。
【図７】図５の側面図。
【実施例】
【００１２】
図面は、本発明に係る筋かい固定金具の一実施例を示し、図中、１は筋かい固定金具Ａの筋かい固定板で、該筋かい固定板１の一側縁と該一側縁に隣接する他の一側縁をそれぞれ互いに同じ方向に屈曲して一側縁側に柱固定板２を、他の一側縁側に横材固定板３を連設して前記筋かい固定金具Ａを構成する。
【００１３】
図中、４は、前記各固定板１、２、３が交わる隅角部に設けた窓孔で、窓孔４は、筋かい５の端部５´の隅角部５ａが係合して、前記各固定板１、２、３の内面に接する、その３側面が該窓孔４内に露出する大きさと形態を備え（図３および図４）、筋かい５はその端部５´がこのような関係で窓孔４に係合することによって各固定板１、２、３（の内面）と馴染んで（フィットして）筋かい固定金具Ａと組合わされる。
【００１４】
そして、柱ｐと土台などの横材（軸組を構成する）ｂが成す隅角部ｃに筋かい固定金具Ａを係合し、該固定金具の柱固定板２を透孔１２に挿通させた釘ｎによって柱ｐに、横材固定板３を透孔１２´に挿通させた釘ｎ´によって横材ｂにそれぞれ固着した後、筋かい５を筋かい固定板１に備えた適宜の透孔１２´´を用いて釘ｎ´´で固着して図１で示す使用状態を得るのである。
【符号の説明】
【００１５】
１      筋かい固定板
２      柱固定板
３      横材固定板
４      窓孔
５      筋かい
５´    端部
５ａ    隅角部
【図１】
2012007327.tif 000003
【図２】
2012007327.tif 000004
【図３】
2012007327.tif 000005
【図４】
2012007327.tif 000006
【図５】
2012007327.tif 000007
【図６】
2012007327.tif 000008
【図７】
2012007327.tif 000009
(57)【要約】【課題】パイプの配管をする時に角度メモリに直線入りパイプの直線を合わせ、次の継ぎ手の角度メモリを合わせる事により９０度や４５度など水平器を使わずに配管が出来る、直線入りパイプを提供する。【解決手段】パイプの直線を継ぎ手の角度メモリに合わせるだけで水平器を使わなくても配管が出来る直線入りパイプ。【選択図】図１
2012007722.tif 000002
【特許請求の範囲】
【請求項１】
配管用パイプに直線を３本入れてパイプの継ぎ手の角度メモリに合わせる事で水平器を使わずに継ぎ手の角度を合わすことが出来る直線入りパイプ。
【発明の詳細な説明】
【技術分野】
【０００１】本発明は、パイプを配管する時に継ぎ手とパイプの直線を合わせる事で水平器を使わなくても配管が出来るので手間が省ける直線入りパイプに関するものである。
【背景技術】
【０００２】従来、配管をする時は継ぎ手をつける時には、水平器を使い４５度や９０度といった角度を合わせてきた
【発明の開示】
【発明が解決しようとする課題】
【０００３】そのために、次のような問題点があった。
（イ）  継ぎ手をつける時に毎回水平器を当て角度を見ながら配管をしなければ無く効率が悪かった
【課題を解決するための手段】
【０００４】パイプに２，３本の直線をいれ、その線に角度表示の継ぎ手の角度メモリを合わせる事で配管が出来る直線入りパイプのことである。
【発明の効果】
【０００５】本発明は、パイプを配管する時に、毎度毎度水平器を使わずに継ぎ手の角度メモリに線を合わせるだけで配管が出来る。
【発明を実施するための最良の形態】
【０００６】以下、本発明の実施の形態を説明する。
（イ）  ９０度エルボ（１）の角度メモリ（２）に合わせパイプ（３）の直線を合わせる、次の９０度エルボを９０度倒した角度メモリ（２）に合わせると９０度倒した配管ができる。
【図面の簡単な説明】
【０００７】
【図１】本発明の斜視図
【符号の説明】１  ９０度エルボ
２  角度メモリ
３  パイプ
４  直線
【図１】
2012007722.tif 000003
(57)【要約】【課題】運動した時に発生するおしりから腰にかけての発熱と発汗を効率良くにズボンの外に発散させる。【解決手段】  弾性のある板にバンドを取り付けて弓形状にし、腰とズボンの間に挟む。ズボンと接する板部分はクリップ等の固定具を備え、ズボンに固定される。皮膚と接するバンド部分は通常衣料用の素材とする。バンドの長さはその都度調節でき、その長短によって弾性板の曲率と弓形状の面積も変化する。【選択図】図１
2012007276.tif 000002
【特許請求の範囲】
【請求項１】
バンドを備え付けた長方形の板であって、板を曲げた状態でバンドで弓形状に固定でき、かつ板にはズボン腰部と固定するための器具が備え付けられており、ズボンに固定した状態で腰とズボンの間に隙間を作ることのできる通気ベルト
【発明の詳細な説明】
【技術分野】
【０００１】本発明は、体からの発熱を衣服外に逃がすための衣料用器具に関するものである
【背景技術】
【０００２】下半身からの発熱と発汗を逃がすための従来の技術としては、通気性の良い布地で衣服を作るといったものがある。また汗を吸いやすくかつ大気中に発散しやすい素材を使った衣服などもある。これらの技術はあくまでミリサイズ以下の布地の隙間を通して排熱発汗を行おうとするもので、運動時の大量の発熱発汗を排するには十分ではなかった。
【発明の概要】
【発明が解決しようとする課題】
【０００３】下半身、特にお尻から腰にかけて発生した熱がズボンの腰ベルトやゴムの下部にたまって排熱されにくいという課題があった。運動時の多量の発熱発汗が衣服内に溜まり運動のパフォーマンスが落ちるという課題もあった。
本発明は、ズボン内で発生した熱を効率良くズボンの外に排熱する手段を提供する。
【課題を解決するための手段】
【０００４】腰幅かそれ以下の長さの弾性ある板の両端にバンドを取り付け、板を曲げた弓形状の状態でバンド同士を結ぶことで固定する。
板の曲率すなわち弓形状の間隙面積はバンド同士を留める長さ次第で自在に変えられるものとし、バンドは幅のあるマジックテープのようなものが望ましい。
この弓形状の板を腰とズボンの間に挟みこむことで腰とズボンの間に隙間を作る。
皮膚と接するバンド部分は通常衣料用の素材とする。ズボンと接する板部分にはクリップ等の固定具を備え、ズボンに固定する。
当然ズボンと下着のパンツを置き換えて実施することもでき、腰と下着のゴムの間に用いた方が体温の排熱効果は高い。
【発明の効果】
【０００５】腰とズボンのベルト部の間に隙間ができるため、下半身特にお尻や腰で発生した熱や湿気を上方に効率良く逃がすことができる。その隙間の面積を自在に変えることができ、広くすれば排熱効率が高まる。本発明を実施することで特に効果が現れるのはスポーツ分野である。運動時には腰から多く発熱発汗するが、その熱気を効率良くズボン外に排出でき、体の体温調節機能を妨げず、結果運動のパフォーマンスを上げることができる。一般的なズボンでは、風が吹いてもズボンの中を空気が循環することがなかったが、本発明を実施すればズボンの中を風が通りとても涼しい。
既存のズボンに後から取り付けることができるため、どんなズボンでも実施できる。本発明をズボンと一体化して実施することもできる。
【図面の簡単な説明】
【０００６】
【図１】本発明品を腰とズボンの間に挟んだ実施例
【図２】弓形状に曲げた本発明の斜視図
【図３】板を曲げない状態の本発明の斜視図
【発明を実施するための形態】
【０００７】本発明の実施形態を図１にて説明する。弾性のある板１を曲げた状態でバンド２で固定しその曲げ状態を維持する。板１は固定具３にてズボンに固定される。板１とバンド２の間には何もなく、熱せられた空気は下から上に移動しやすい。
【実施例】
【０００８】本発明の実施例を図面にて説明する。
図２は、板１を曲げてバンド２で固定した状態を示す。板１は、例えばプラスチックのようなもので弾性があって曲げの力が解除された時は定常の形状に戻るものとする。腰の曲線に合わせて使うものなので定常の形状とは必ずしも平らである必要はなく、あらかじめ曲がっていてもよい。横幅は各人のサイズに合わせて、高さは２ｃｍないし１０ｃｍ程度とする。下着のパンツとズボンの両方を腰から浮かせるには板１の高さはある程度高い方がよい。【０００９】バンド２は例えばマジックテープのようなもので、自在の長さで固定できるものとする。またバンド２はひも状でもよいが、安定性のため、１ｃｍないし５ｃｍ程度の幅があった方が良い。バンドは必ずしも板の両端から出る必要はなく、板１を周回するように巻き付けたものでもよい。肌にあたる部分には通常衣料用の材料を用いる。板１とバンド２の間は排熱効率を考えれば何もない方が良いが、実施目的によっては網目の布など排熱効果を妨げにくい素材でカバーしてもよい。【００１０】固定具３は、板１をズボンに固定するのに使用する。例えばクリップのようなものである。本発明をあらかじめズボンに組み込んで実施することもできる。その場合は板１をズボンに縫い付けたり生地の中に入れたりして固定する。
図３は、板１を延ばした状態でバンド２を固定した状態を示す。
【符号の説明】
【００１１】１  板
２  バンド
３  固定具
【図１】
2012007276.tif 000003
【図２】
2012007276.tif 000004
【図３】
2012007276.tif 000005
(57)【要約】【課題】走行中のオートバイ、自動車を運転する者にとっては、視野に入りにくく、ランプ類も低い位置にあるので、見落しがちになり事故も多い。本発明はオートバイを運転するためのランプ付きヘルメットを提供する。【解決手段】通常点燈とブレーキ点燈が一体化とＷ球１ケをランプケースの中に設ける。ランプケース外側背面にわん曲ゴム板を設け、わん曲ゴム板に両面粘着テープを設ける。ランプケース上下両端に４つのビス穴を設け、赤色レンズの上下両端に４つの穴をあける。電源線に三ツ又差し込みと差し込み口を、設ける。電源線、端にオートバイ車体ランプに接続するカプラーを設ける。電源線途中に長さを調節できる巻き込み防止調節クリップを設ける。電源線に収納ケースを設ける。【選択図】図１
2012007281.tif 000002
【特許請求の範囲】
【請求項１】
通常点燈とブレーキ点燈が一体化したＷ球１ケをランプケースの中に設け、ランプケース外側背面にわん曲ゴム板を設け、わん曲ゴム板には両面粘着テープを設け、ランプケース上下両端に４つのビス穴を設け赤色レンズの上下両端に４つの穴をあける。電源線に三ツ又差し込みと差し込み口を設け、電源線、端に、オートバイ車体ランプに接続するカプラーを設け、電源線途中に長さを調節できる巻き込み防止調節クリップを設け、電源線に収納ケースを設けたランプ付きヘルメット
【発明の詳細な説明】
【技術分野】
【０００１】本発明はオートバイを運転中のヘルメットに関するものである。
【背景技術】
【０００２】従来オートバイを運転中ヘルメットを着用し身の安全を守っていた。
【発明の開示】
【発明が解決しょうとする課題】
【０００３】走行中のオートバイ、自動車を運転する者にとっては、視野に入りにくくランプ類も低い位置にあるので見落しがちになり事故も多い。
本発明は以上の問題点を解決するためになされたものである。
【課題を解決するための手段】
【０００４】通常点燈とブレーキ点燈が一体化したＷ球１ケをランプケースの中に設ける。
ランプケース外側背面に、わん曲ゴム板を設け、わん曲ゴム板に両面粘着テープを設ける。ランプケース上下両端に４つのビス穴を設け、赤色レンズの上下両端に４つの穴をあける。電源線に三ツ又差し込みと、差し込み口を、設ける。
電源線、端に、オートバイ車体ランプに接続するカプラーを設ける。
電源線、途中に長さを調節できる巻き込み防止調節クリップを設ける。
電源線に収納ケースを設ける。
以上の構成よりなるランプ付ヘルメット
【発明の効果】
【０００５】従来不可能とされていた、オートバイの低い位置についているランプ以外に、ヘルメットという高い位置にもう一つランプをつけることを本発明により可能にし、後方のドライバーにも見やすく、事故を未然に防ぐことができる。
【発明を実施するための最良の形態】
【０００６】  以下本発明の実施の形態を説明する。
（イ）ランプケース（１）にＷ球（２）を設ける。
（ロ）ランプケース（１）中央部に球筒（３）を設ける。
（ハ）ランプケース（１）外側背面にわん曲ゴム板（７）を設ける。
（ニ）わん曲ゴム板（７）に両面粘着テープ（８）を設ける。
（ホ）ランプケース（１）の上下両端に４つのビス穴（６）を設ける。
（ヘ）赤色レンズ（４）の上下両端４つのビス穴（５）を設ける。
（ト）オートバイ車体ランプ（１４）から通常燈、ブレーキ燈の電源に電源線（１５）をつなぎカプラー（１３）を通じて電源を取り入れる。
（チ）電源線（１５）に三ツ又差込み（１０）と差込み口（９）を設ける。
（リ）電源線（１５）の途中に長さを調節できる巻き込み防止クリップ（１１）を設ける。
（ヌ）電源線（１５）に収納ケース（１２）を設ける。
本発明は以上の構造である。
本発明を使用するときはランプケース（１）背面の粘着テープ（８）のはくり紙をめくり、ヘルメット（１６）の後部に、ランプケース（１）を貼りつける。差し込み口（９）に三ツ又差し込み（１０）を差し込み、カプラー（１３）を接続し点燈させる。
巻き込み防止クリップ（１１）で長さを調節し、上着、又は腰のベルトにとめる。
車体ランプ（１４）以外にもう一つ高い位置、ヘルメット（１６）にランプがあるため後方のドライバーにも遠くから、オートバイの位置確認が早目にできる。
万が一、転倒しても電源線（１５）は差し込みなのでヘルメット（１６）より分離し体に巻きつくことはない。運転終了後はヘルメット（１６）より、三ツ又差し込み（１０）を外し電源線（１５）を収納ケース（１２）に納める。
【図面の簡単な説明】
【０００７】
【図１】本発明の
【図２】本発明の使用状態を示す
【符号の説明】
【０００８】（１）ランプケース  （２）Ｗ球  （３）球筒  （４）赤色レンズ  （５）赤色レンズビス穴  （６）ランプケースビス穴  （７）わん曲ゴム板  （８）両面粘着テープ  （９）差し込み口  （１０）三ツ又差し込み  （１１）巻き込み防止調節クリップ  （１２）収納ケース  （１３）カプラー  （１４）車体ランプ  （１５）電源線  （１６）ヘルメット
【図１】
2012007281.tif 000003
【図２】
2012007281.tif 000004
(57)【要約】【課題】  曝気槽の送風暈の制御を安定的かつ無駄な送風を削減し曝気槽が効率的運転になる送風量制御を提供する。【解決手段】  ＤＯ値に対する送風量を設定しておき、これにより、曝気槽の送風量を計測した曝気槽のＤＯ値より求め制御する。【選択図】なし【特許請求の範囲】
【請求項１】
ＤＯ値に対する送風量を設定して、曝気槽の送風量を曝気槽の計測したＤＯ値で前記設定より決めることを特徴とする曝気槽の送風量制御。
【発明の詳細な説明】
【技術分野】
【０００１】  本発明は、曝気槽の送風量制御に関する。
【背景技術】
【０００２】  従来の曝気槽の送風量を制御する方法としては、曝気槽の計測したＤＯ値と目標ＤＯ値を比較して送風量を調節する方法や、曝気槽への流入水量に対する比率で送風量を調節する方法や、曝気槽の送風量を一定に保つ方法がある。
【発明の概要】
【発明が解決しようとする課題】
【０００３】  従来の曝気槽の送風量制御方法においては、制御系の安定度が悪いこと、曝気槽が過曝気になり送風が無駄になる問題がある。これにより、曝気槽の能力に悪影響をあたえている。
【課題を解決するための手段】
【０００４】  本発明は、ＤＯ値に対する送風量を設定しておき、その設定により曝気槽の計測したＤＯ値で曝気槽の送風量を決めるものである。
【発明の効果】
【０００５】  本発明の送風量制御は、曝気槽の計測したＤＯ値で曝気槽の送風量を決めるのでＤＯ値がいくつであろうと送風量を安定させることができる。これにより、曝気槽の能力に悪影響をあたえにくい。また、曝気槽の過曝気を無くすことが可能であり送風量を削減できる。
(57)【要約】      （修正有）【課題】省エネルギー(エコ)で稼動させることができることを目的とした成形機のシステムを提供する。【解決手段】発生する負荷を検知し自動的に直動油圧シリンダーをポンプ油圧で加圧するモード(高能力)とアキュムレータ油圧で加圧するモード(低能力)の二つのモードを自動的に制御する。【選択図】図１
2012106267.tif 000002
【特許請求の範囲】
【請求項１】
第一の油圧供給手段と、前記第一の油圧供給システムとは能力が異なる第二の油圧供給手段と、前記第一の油圧供給又は前記第二の油圧供給を選択する選択手段と、前記選択手段により選択された油圧手段による油圧で成形する成形手段とを有する成形機。
【請求項２】
前記第二の油圧供給手段は、アキュムレータである請求項1に記載の成形機。  
【請求項３】
低負荷の時はアキュムレータを使用し作動油は直動シリンダーとアキュムレータ間を往復し、無駄な吸入・吐出を繰り返さないことを特徴とする油圧回路。
【請求項４】
サーボロジック弁とアキュムレータを共有使用し従来の複雑な油圧シリンダーではなく一般的な油圧シリンダーにて低速から高速までの制御を実施できることを特徴とする請求項１記載の油圧回路を使用し、二つのモードを自動的に制御するシステム
【発明の詳細な説明】
【技術分野】
【０００１】
この発明は、四方向から中心に向かって鍛造成形する鍛造機の高速往復運動用直動油圧シリンダーをポンプ油圧で加圧するモード(高能力)とアキュムレータの蓄圧装置で加圧するモード(低能力)の少なくとも二つのモードを自動的に制御するシステムに関する。
【背景技術】
【０００２】
従来の方法は、位置的な数値及び成形速度を設定し高速往復運動する機械的又は油圧シリンダーにより鍛造成形が実施されてきた。このような鍛造機では、長年の鍛造成形データーが必要となり、稼動前に位置及び速度を入力する必要があり、荒鍛造成形と仕上げ鍛造成形を区別して設定することが必要となります。
【発明の概要】
【発明が解決しようとする課題】
【０００３】
しかしながら、以上の技術によれば、設定された位置及び速度によって稼動される為、必要以上の能力及び速度が使用されていても判断できない事が考えられる。
そこで、この発明は、発生する負荷を検知し自動的に直動油圧シリンダーをポンプ油圧で加圧するモード(高能力)とアキュムレータ油圧で加圧するモード(低能力)の二つのモードを自動的に制御することにより、従来のシステムよりも省エネルギー(エコ)で稼動させることができるシステムを提供することを課題とする。
【課題を解決するための手段】
【０００４】
以上の課題を解決するために、第一発明は、低負荷の時はアキュムレータを使用し作動油は直動シリンダーとアキュムレータ間を往復し、無駄な吸入・吐出を繰り返さないことを特徴とする油圧回路である。
また、第二発明は、サーボロジック弁とアキュムレータを共有使用し従来の複雑な油圧シリンダーではなく一般的な油圧シリンダーにて低速から高速までの制御を実施できることを特徴とする二つのモードを自動的に制御するシステムである。
【発明の効果】
【０００５】
第一発明、または第二発明によれば、無駄な作動油の吸入・吐出を繰り返さないことにより、省エネルギー化・高能率化が図られ、大幅なランニングコストダウンを実現できる。
【図面の簡単な説明】
【０００６】
【図１】この発明の一実施形態を示す概略油圧回路図である。
【図２】従来技術を示す概略油圧回路図である。
【発明を実施するための形態】
【０００７】
この発明の一実施形態を、図１に示す。
高能力(負荷が高い)が必要な荒鍛造時にはポンプ油圧を使用し、最終的な低能力(負荷が低い)で速度が必要な仕上げ鍛造時にはアキュムレータ油圧を使用する。又、それら二つのモードは負荷を検知することにより、自動的に切り換わる。
【０００８】
この実施形態によれば、仕上げ鍛造時にアキュムレータ油圧を使用し、無駄な作動油の吸入・吐出を繰り返さないことにより、省エネルギー化・高能率化が図られ、大幅なランニングコストダウンを実現できる。又、自動的に切り換わることにより作業者の段取り換え作業時間も短縮される。
【０００９】
図１の実施形態では、二つのモードが具備されているが、他の実施形態では、別々の油圧回路を複数設けたものでも良い。
【符号の説明】
【００１０】
１  ポンプ                                                                      ２  アキュムレータ
３  ポンプ油圧使用時の油の流れ                                                  ４  アキュムレータ油圧使用時の油の流れ                                          
【図１】
2012106267.tif 000003
【図２】
2012106267.tif 000004
(57)【要約】【課題】    従来の写経用紙には表面に経文が印刷されているためインキの影響で紙に直接墨がのらず書き心地が悪い、初心者に敷居が高く上手に書き写す事ができない、下敷きの手本がズレるなどの問題があった。そのため写経を途中で挫折してしまう者や、写経を始める事を躊躇する者が多かった。そこで様々な効用や功徳があるとされている写経の普及には、誰にでも簡単で上手に書く事のできる写経用紙を発明する必要があった。【解決手段】  用紙の裏面に手本となる写経の経文を逆向きに印刷し、表面から透けて見える経文をなぞり書きができるようにした。本考案の写経用紙ではインキの影響で紙に直接墨がのらず書き心地が悪くなる事がない。また、手本と罫紙がズレる心配もなく、意識を集中し写経をする事ができる。にじみの少ないサイジング処理された用紙を採用する事で美しい経文が書ける。以上の理由より写経を手軽に誰にでも始める事ができ、上達も早いため、写経の普及に大きく貢献する事ができる。【選択図】図１
2012106467.tif 000002
【特許請求の範囲】
【請求項１】
用紙の裏面に手本となる写経の経文を逆向きに印刷し、表面からは裏面に印刷された経文が透けて見える事を特徴とした写経用紙。
【発明の詳細な説明】
【技術分野】
【０００１】  本発明は用紙の裏面に手本となる写経の経文を逆向きに印刷し、表面から透けて見える経文をなぞり書きができる写経用紙に関するものである。
【背景技術】
【０００２】  従来の写経の方法としは、手本となる写経の経文を参照しながら罫紙に書き写す、手本となる写経の経文を罫紙の下敷きにして透けて見える経文をなぞり書きする、表面に薄く印刷された手本となる写経の経文をなぞり書きする、裏面に用紙と同系色のインキで経文を逆向きに印刷し黒系統の下敷き等を使用することにより手本の経文を白く浮き上がさせそれをなぞり書きするものがある。
【先行技術文献】
【特許文献】
【０００３】
【特許文献１】特開平１１−５３８１
【発明の概要】
【発明が解決しようとする課題】
【０００４】  表面に薄く印刷された手本となる写経の経文をなぞり書きする方法では表面に経文が印刷されているため、インキの影響で紙に直接墨がのらず書き心地が悪い。【０００５】  手本となる写経の経文を罫紙の下敷きにして透けて見える経文をなぞり書きする方法では、手本と罫紙がズレてしまう問題があり、意識を集中できず写経を楽しむ事ができない。【０００６】  裏面に用紙と同系色のインキで経文を逆向きに印刷し、黒系統の下敷き等を使用することにより手本の経文を白く浮き上がさせ、それをなぞり書きする方法では、用紙の下に黒系統の下敷き等を使用する必要があり、白く浮き上がった手本となる経文がはっきり見えないためなぞり書きが困難である。【０００７】
【０００７】  手本となる写経の経文を参照しながら罫紙に書き写す方法では上手に書き写す事が難しく、初心者やこれから始める者にとって敷居が高い。【０００８】  従来の写経用紙は毛筆で書いた際ににじみが多く、美しい経文が書けない。
【課題を解決するための手段】
【０００９】  本発明では前述の問題を解決するため、図２に示すように用紙の裏面に手本となる写経の経文を逆向きに印刷し、表面から透けて見える経文をなぞり書きできるようにしたものである。
【発明の効果】
【００１０】  用紙の裏面に手本となる写経の経文を逆向きに印刷する事により、表面に薄く印刷された手本となる写経の経文をなぞり書きする方法とは違い、直接紙に墨をのせるので、自然な書き心地である。【００１１】  用紙の裏面に手本となる写経の経文を逆向きに印刷する事により、手本を下敷きにして透けて見える写経の経文をなぞり書きする方法とは違い、手本と罫紙がズレる心配もなく、意識を集中し写経をする事ができる。【００１２】  用紙の裏面に手本となる写経の経文を逆向きに印刷する事により、裏面に用紙と同系色のインキで経文を逆向きに印刷し、黒系統の下敷き等を使用することにより手本の経文を白く浮き上がさせ、それをなぞり書きする方法とは違い、用紙の下に黒系統の下敷き等を使用する必要がなく、手本となる経文が黒く透けて見えるのでなぞり書きが容易である。【００１３】  写経用紙に紙の液体を吸収する性質を抑える技術であるサイジング処理を施した用紙を使う事でにじみが少なく、美しい経文が書ける。【００１４】  本発明を施した写経用紙は前述の課題を全て解決しており、初心者やこれから写経を始める者にとって敷居が低く、手軽に写経の世界を楽しむ事ができる。【００１５】  写経には様々な効用があるとされている。脳の活性化により認知症の予防になる事、字がうまくなる事、ストレスを解消し安定した精神を保つ事、集中力や忍耐力の向上などである。今まで敷居が高く途中で挫折した人、なかなか始める事ができなかった人も本発明の写経用紙を使用する事により、前述したような写経の様々な効用を受ける事ができる。
【図面の簡単な説明】
【００１６】
【図１】本発明のサイジングによりにじみを抑えた写経用紙の表面。
【図２】本発明の写経の経文を逆抜きに印刷した写経用紙の裏面
【発明を実施するための形態】
【００１７】  写経用紙の表面には図１のように罫線と経文以外の文字のみが印刷されており、裏面に逆向きに印刷された経文が透けて見える。
【００１８】  写経用紙の裏面には図２のように経文が逆向きに印刷されている。
【００１９】  写経用紙に紙の液体を吸収する性質を抑える技術であるサイジング処理を施したにじみの少ない用紙を採用。
【実施例】
【００２０】  写経用紙の表面には裏面に逆向きに印刷された経文が透けて見え、それを毛筆などでなぞり書きする。
【産業上の利用可能性】
【００２１】  寺院、高齢者福祉施設、病院、学校などで利用すれば写経のもつ様々な効用が期待できる。
【符号の説明】
【００２２】１  サイジングによりにじみを抑えた写経用紙
２  表面から透けて見える裏面に逆向きに印刷された写経の経文
３  裏面に逆向きに印刷された写経の経文
【図１】
2012106467.tif 000003
【図２】
2012106467.tif 000004
(57)【要約】      （修正有）【課題】パスポート、航空券、出入国カードなどをひとまとめにして収納でき、航空券には折り目をつけずに収納できるポケットを外側に有する、小型の二つ折りパスポートケースを提供する。【解決手段】航空券に折り目をつける事無く収納する為のポケットを外側に有し、縦寸法が略１５０ｍｍ、横寸法が略２２０ｍｍの小型で中央部から二つ折にする。【選択図】図１
2012106465.tif 000002
【特許請求の範囲】
【請求項１】
本体の外側に、航空券に折り目をつける事無く収納できるポケットを備え、内側にはパスポート及びカード類を収納できるポケットを有する中央部から二つ折されることを特徴とするパスポートケース。
【請求項２】
本体の大きさは縦寸法が略１５０ｍｍ、横寸法が略２２０ｍｍであることを特徴とする請求項１に記載の二つ折されるパスポートケース。
【発明の詳細な説明】
【技術分野】
【０００１】  本体の外側に、航空券に折り目をつける事無く収納できるポケットを備え、内側にはパスポート及びカード類を収納できるポケットを有する中央部から二つ折されることを特徴とするパスポートケースに関する。
【背景技術】
【０００２】  海外旅行の際に必要な書類はパスポート、航空券、出入国カードなどである。航空券は保有を必要とする時間は飛行機に搭乗するまでと短いのでバッグなどに収納しないで持ち歩くことが多い。航空券は磁気ストライプがある為、［本券を曲げたり、汚したりしないで下さい。］との注意書きが有り折り曲げる事ができない。又、財布などに航空券及びパスポートをひとまとめにして収納することは困難である。前記の理由により通常はパスポートケースを使用する。この時、航空券はパスポートより大きい為、折り目をつける事無く航空券を収納できるパスポートケースは縦寸法が航空券より長くなる。
【先行技術文献】
【特許文献】
【０００３】
【特許文献１】実登３２１２５４８
【発明の概要】
【発明が解決しようとする課題】
【０００４】  実登３２１２５４８に記載されている二つ折収納ケースは航空券を折り曲げずに内側に収納できるが、縦寸法が略２２５ｍｍと略２１５ｍｍの航空券より長くなり衣服などのポケットに収まりにくい欠点がある。そこで本発明はケースの縦寸法を略１５０ｍｍとし、外側に航空券に折り目をつける事無く収納する為のポケットを有する小型の二つ折りパスポートケースを提供することを目的としてなされたものである。
【課題を解決するための手段】
【０００５】  本体の外側に航空券に折り目をつける事無く収納できるポケットを備え、内側にはパスポート及びカード類を収納できるポケットを有し中央部から二つ折されることを特徴とするパスポートケース。
【発明の効果】
【０００６】  本発明によれば、海外旅行の際に必要なパスポート、航空券、出入国カード、などをひとまとめにして収納することができる。さらには航空券を収納する為のポケットを外側に設けたことにより、航空券を緩やかに湾曲させた状態で挟み込む為、航空券に折り目をつける事無く収納できる。前記本体を二つ折した時の縦寸法が略１５０ｍｍ、横寸法が１１０ｍｍ程度の小型である為、衣服などのポケットに収納できる。
【図面の簡単な説明】
【０００７】
【図１】本発明にかかる二つ折りパスポートケースの実施形態を示す斜視図である。
【図２】本発明にかかる二つ折りパスポートケースの本体を開いた時の内側正面図である。
【図３】本発明にかかる二つ折りパスポートケースの本体を開いた時の外側正面図である。
【図４】図２におけるＡ−Ａ断面図図である。
【図５】実登３２１２５４８記載された従来のパスポートケースの開いた状態の正面図である。
【発明を実施するための形態】
【０００８】  本発明の二つ折りケースは、本体６と内側の右側に第一ポケット１及び第二ポケット２を有し、左側に第三ポケット３、及び第四ポケット４と外側に第五ポケット５を有している。本体及び各ポケットは皮革、布、合成樹脂、などの伸縮性に乏しいシート素材から裁断され公知の手法によって縫着されたもので従来の収納ケース、財布、などと基本的構成に変わりはない。
【０００９】  中央部から自在に二つ折りできる本体６の縦寸法をパスポートが収納できる程度の略１５０ｍｍとし、横寸法は航空券を収納できる長さの略２２０ｍｍとする。
【００１０】  本体１の内側の左側に第一ポケット１、及び第二ポケット２、右側に第三ポケット３、及び第四ポケット４、外側に第五ポケット５を縫着する。第一ポケット１と第二ポケット２、及び第三ポケット３と第四ポケット４はそれぞれ積層している。
【００１１】  本体に縫着された内側の第一ポケット１、第二ポケット２、第三ポケット３、及び第四ポケット４は本体の中央側が開放されていてパスポート、カード類の出し入れ口となる。又、外側の第五ポケット５は上端が開放されていて航空券の出し入れ口となる。
【００１２】  第一ポケット１、または、第三ポケット３のどちらかにパスポートＰ１を収納し、他方にはカード類などを収納する。
【００１３】  第二ポケット２及び第四ポケット４には出入国カードなどを収納する。
【００１４】  第五ポケット５には航空券Ｔ１に折り目を付けず湾曲させて収納する。
【００１５】  内側には札入れ、小銭入れなどの収納部を追加しても良い。各ポケットの形状はどのような形でも良い。
【符号の説明】
【００１６】１  第一ポケット
２  第二ポケット
３  第三ポケット
４  第四ポケット
５  第五ポケット
６  本体
Ｐ１  パスポート
Ｔ１  航空券
Ｃ１  出入国カード
【図１】
2012106465.tif 000003
【図２】
2012106465.tif 000004
【図３】
2012106465.tif 000005
【図４】
2012106465.tif 000006
【図５】
2012106465.tif 000007
(57)【要約】      （修正有）【課題】手を汚す事なく、外箱に装着したゴミ袋にゴミを収容する際、ゴミを圧縮してゴミ体積を減少させゴミ出し回数を減らすと共にゴミ袋を節約出来るゴミ箱を提供する。【解決手段】ゴミ袋内のゴミＣを圧縮する為、内箱２の下方開口部に可動圧縮弁３を設け、可動圧縮弁とツマミ６とを連結させる、連結糸５を備えている。ツマミを手で引き上げ、可動圧縮弁を閉めてから内箱の上方端を手で押し下げるとゴミ袋内のゴミを手を汚さないで圧縮できる。【選択図】図１
2012106861.tif 000002
【特許請求の範囲】
【請求項１】
ゴミ箱本体である外箱１の上方に開口部を設け、その開口部内を自由に上下動の出来る内箱２を設け、上方、下方にそれぞれに開口部を設け、その下方には、自由に開閉の出来る可動圧縮弁３を、少なくとも１カ所以上設け、更に内箱２の上方に可動圧縮弁３を開閉操作する為に可動圧縮弁３と連結糸５とツマミ６とを連結させたことを特徴とするゴミ箱。
【発明の詳細な説明】
【発明の詳細な説明】
【技術分野】
【０００１】本発明は、一般廃棄物の市販収集用ゴミ袋を使用しプラスチック等、かさ張るゴミを圧縮して体積を減少させ、より多量のゴミをゴミ袋に収集することの出来るゴミ箱に関するものである。
【背景技術】
【０００２】従来はゴミ箱内が満杯になっていても、ゴミとゴミとの間に多くの空間が生じてゴミ箱の収容空間が無駄になり、更にゴミ袋も無駄になってしまう事態が生じていた。
【発明が解決しようとする課題】
【０００３】ゴミ箱にセットされたゴミ袋が満杯になった時、更にゴミが発生した場合は手で押し込んでいたが手が汚れ易かった。
【課題を解決するための手段】
【０００４】本発明に係るゴミ箱は、内箱２の下方開口部と、上方開口部に収容しているゴミ類を圧縮する、圧縮機構部を設けたことで課題を解決した。
【発明を実施するための形態】
【０００５】以下に本発明を実施するための最良の形態を、図面を参照して説明する。
【０００６】本発明に係るゴミ箱は、外箱１の上方を開口部として、ゴミ袋７を外箱１の内側にセットし、上方の開口部の周囲にゴミ袋７のミミを折り返して取り付ける。
【０００７】内箱２の外形寸法は、外箱１の内径寸法より若干小さくして容易に上下動が出来るようにする。
【０００８】又、内箱２の下方開口部に可動圧縮弁３を丁番４で２ケ所取り付けた。
【０００９】更に、内箱２の上方開口部にツマミ６、に連結糸５、と可動圧縮弁３、とを連結した。
【発明の効果】
【００１０】外箱１の中に装着されたごみ袋７にゴミが圧縮され収容出来るのは内箱２に装着したツマミ６を手で引き上げ、可動圧縮弁３を閉めてから内箱２の上方端を手で押し下げるとゴミ袋内のゴミＣを手を汚さないで圧縮でき、ゴミ体積を減少させゴミ袋７の節約とゴミ処分回数を減らす事が出来る。
【図面の簡単な説明】
【００１１】
【図１】ゴミ箱全体の斜視図である。
【符号の説明】
【００１２】Ａ  投入口
Ｂ  内箱内のゴミ
Ｃ  ゴミ袋内のゴミ
１  外箱
２  内箱
３  可動圧縮弁
４  丁番
５  連結糸
６  ツマミ
７  ゴミ袋
【図１】
2012106861.tif 000003
(57)【要約】【課題】外出先でのうがい手洗いと非常食食べの携帯用を提供する。【解決手段】小袋にそれぞれ水、薬用ハンドソープ、うがい薬液、乾パンを入れセロテープで巻いて１セットにし携帯用として薬用ハンドソープで手を洗い、水でそれを洗い落とし、うがい薬液でうがいし、衛生的に必要に応じて乾パンを食べることができ災害時の水分補給と栄養補給が可能となる。【選択図】なし【特許請求の範囲】
【請求項１】
（イ）水の入った小袋を用意する。
（ロ）薬用ハンドソープの入った小袋を用意する。
（ハ）うがい薬液の入った小袋を用意する。
（二）これら３小袋と必要に応じて乾パンを入れた小袋をセロテープで１セットにする。
（ホ）この結果外出先でも携帯できどこでも手洗いうがいが可能となり衛生的に乾パンを食べ、残った水で水分補給できる。
使用法は先ず薬用ハンドソープで手を洗い、水でハンドソープを洗い落とし、次にうがい薬液でうがいする。そのあと必要に応じて乾パンを食べ、水は飲料用としても使用でき災害時の水分補給と非常食となる。以上の如く特徴を持つ携帯うがい手洗い非常食セット。
【発明の詳細な説明】
【技術分野】
【０００１】  本発明は、携帯うがい手洗い非常食セットに関する。
【背景技術】
【０００２】  従来、外出先でのうがい手洗いは出来ていなかったし、また災害時等に携帯できる非常食はなかった。【０００３】
【特許文献１】特開２０００−０４２０２５号公報
【発明の開示】
【発明が解決しようとする課題】
【０００４】    従来、外出先でのうがい手洗いは出来ていなかったし、また災害時等に携帯できる非常食はなかった。
【課題を解決するための手段】
【０００５】  小袋にそれぞれ水、薬用ハンドソープ、うがい薬液、乾パンを入れセロテープで巻いて１セットにした。
【発明の効果】
【０００６】  外出先でのうがい手洗いを可能にし、さらに災害時等に携帯できる非常食となる。
【発明を実施するための最良の形態】
【０００７】    小袋にそれぞれ水、薬用ハンドソープ、うがい薬液、乾パンを入れセロテープで巻いて１セットにし、薬用ハンドソープで手を洗い、水で薬用ハンドソープを洗い落とし、うがい薬液でうがいし、必要に応じて乾パンを食べる。以上の如く特徴を持つ携帯うがい手洗い非常食セット。
【実施例】
【０００８】    上記の如く実施される。
【産業上の利用可能性】
【０００９】    この分野の発明はなく参入障壁もなく災害時に衛生的に乾パン等を食べられ水分補給まで行え携帯用としては産業上の利用可能性は高いと解される。